(57)【要約】  【課題】  装置の設置姿勢が変化しても対物レンズの傾きが少なく、ディスク情報を安定して読み出すことのできるディスクドライブ装置を提供することである。  【解決手段】  ディスクドライブ装置１０は、シャーシに固定されたガイド軸と、該ガイド軸に回動自在に取り付けられ、前記ガイド軸に沿って移動する光ピックアップとを有し、前記光ピックアップは、光ディスクに照射する光ビームを出射する対物レンズ２１を保持し、かつ摺動孔２２が開けられたレンズホルダ２０と、摺動孔２２を挿通するシャフト２３と、摺動孔２２の外壁２４に巻回されたフォーカスコイル２５と、フォーカスコイル２５に続いて摺動孔２２の外壁２４に挿入された六角形の磁性板２６とを備え、六角形の磁性板２６の一辺がフォーカスコイル２５側に折り曲げられて、磁性板２６がレンズホルダ２０の摺動方向を法線とする面に対して傾斜している構成とする。【選択図】      図３
2007018672.tif 000002
【特許請求の範囲】
【請求項１】
シャーシに固定されたガイド軸と、該ガイド軸に回動自在に取り付けられ、前記ガイド
軸に沿って移動する光ピックアップとを有するディスクドライブ装置を備えた光ディスク
装置であって、
前記光ピックアップは、光ディスクに照射する光ビームを出射する対物レンズを保持し
、かつ摺動孔が開けられたレンズホルダと、前記摺動孔を挿通するシャフトと、前記摺動
孔の外壁に巻回されたフォーカスコイルと、該フォーカスコイルに続いて前記摺動孔の外
壁に挿入された六角形の磁性板とを備え、
前記六角形の磁性板の一辺が前記フォーカスコイル側に折り曲げられて、前記磁性板が
前記レンズホルダの摺動方向を法線とする面に対して傾斜していることを特徴とする光デ
ィスク装置。
【請求項２】
シャーシに固定されたガイド軸と、該ガイド軸に回動自在に取り付けられ、前記ガイド
軸に沿って移動する光ピックアップとを備えたディスクドライブ装置であって、
前記光ピックアップは、光ディスクに照射する光ビームを出射する対物レンズを保持し
、かつ摺動孔が開けられたレンズホルダと、前記摺動孔を挿通するシャフトと、前記摺動
孔の外壁に巻回されたフォーカスコイルと、前記摺動孔の外壁に挿入された磁性板とを備
え、
前記磁性板が前記レンズホルダの摺動方向を法線とする面に対して傾斜していることを
特徴とするディスクドライブ装置。
【請求項３】
前記磁性板が前記レンズホルダの摺動方向を法線とする面に対して傾斜するように、前
記磁性板の端部が折り曲げられることを特徴とする請求項２記載のディスクドライブ装置
。
【発明の詳細な説明】
【技術分野】
【０００１】
本発明は、ＣＤやＤＶＤ等の光ディスクを再生、録音、録画する光ディスク装置及びそ
れに内蔵されたディスクドライブ装置に関するものである。
【背景技術】
【０００２】
ＤＶＤ、ＣＤ等の光ディスクを再生、録音、録画する光ディスク装置には、光ディスク
を回転させて読み取るディスクドライブ装置が備えられている。このディスクドライブ装
置は対物レンズを用いて光ディスク面に光ビームを集光してスポットを形成する。スポッ
トのサイズは小さいほうが光ディスクに対する情報の記録密度を高くすることができるの
で、ディスクドライブ装置にはスポットサイズを小さくする機構が設けられている。即ち
、光ピックアップからのビームが光ディスク面に直角に当たるようにして、コマ収差を生
じないようにする機構が設けられている。
【０００３】
光ディスクには情報が記録されたトラックが形成されているが、このトラックの追尾は
、ターンテーブルの回転による光ディスクの回転と、ガイド軸に沿った光ピックアップの
移動とによって行われる。光ディスクには、反りや偏芯などがあり、それらの影響により
光ディスク上の情報の記録位置は上記の方法だけでは正確に追尾することができない。即
ち、予測できない外乱要因によって情報記録箇所がずれて位置する場合にも、その位置を
正確に追尾して情報を読み取る調整機構が必要である。
【０００４】
図６は、従来の光ピックアップの断面透過図である。対物レンズ２１は、レンズホルダ
２０に固定されている。そのレンズホルダ２０は上記のガイド軸に沿って移動するレンズ
ホルダ支持部（不図示）に支持されている。レンズホルダ２０には摺動孔２２が開けられ
、レンズホルダ支持部にはシャフト２３が設けられている。そして摺動孔２２にシャフト
２３を貫通させた状態で、レンズホルダ２０はレンズホルダ支持部によって支持される。
【０００５】
従来の上記の調整機構では、レンズホルダ２０をシャフト２３の延在する方向に沿って
移動させて光ビームのスポットの焦点を合わせ、かつ、レンズホルダ２０をそのシャフト
２３の回りに回転可能として、平面的にトラックの位置合わせをする。すなわち、レンズ
ホルダ２０と、レンズホルダ支持部との間に、フォーカス用の磁気駆動部と、トラッキン
グ用の磁気駆動部とを設け、これらフォーカス用の磁気駆動部と、トラッキング用の磁気
駆動部とによって上記調整機構を構成する。通常、レンズホルダ２０側に、フォーカスコ
イル２５およびトラッキングコイル（不図示）が搭載され、これらコイルに対峙するレン
ズホルダ支持部側に、フォーカス用の永久磁石（不図示）およびトラッキング用の永久磁
石（不図示）が配置される。
【０００６】
フォーカスコイル２５に電流を流すことにより、レンズホルダ２０はシャフトに沿って
上下に磁気力によって駆動され、レンズホルダ２０に取り付けられた対物レンズ２１の焦
点合わせの調整を行う。同様に、トラッキングコイルに電流を流すことにより、レンズホ
ルダ２０をシャフト２３の回りに磁気力によって回動させ、トラッキング合わせの調整を
行う。上記のようなフォーカシング調整及びトラッキング調整の各機構を備えることによ
り、外乱要因によって情報記録箇所がずれて位置する場合にも、スポット位置のトラック
からのずれに対処して、トラック位置を正確に追尾することができる。
【０００７】
しかし、レンズホルダ２０の摺動孔２２と、レンズホルダ支持部のシャフト２３との間
には、所定のクリアランス（例えば５μｍ）を設ける必要がある。このクリアランスはレ
ンズホルダ２０の上記調整の移動においてがたつきを生じる。図６中の破線の矢印が、が
たつき方向を示している。がたつきが生じるとジッタが悪化して情報の質が低下し、情報
再生装置としての性能が低下してしまう。そこで特許文献１では、２枚の板状強磁性体が
フォーカスコイルを上下から挟むように配置し、磁気的均衡を失うように調整し、磁力を
受ける部分が間隔をおいて２箇所存在するようにしている。
【０００８】
また特許文献２には、磁性板とマグネットとの間に作用する磁気的な吸引力により、レ
ンズホルダにレンズホルダの軸受け部を支軸に押し当てる方向の力が作用する構成が開示
されている。
【特許文献１】特開２００４−１６４７３２号公報
【特許文献２】特開２００４−２２０７６９号公報
【発明の開示】
【発明が解決しようとする課題】
【０００９】
しかしながら、特許文献１や特許文献２の構成では十分にレンズホルダの傾きや振動を
抑えることはできていない。また、レンズホルダ２０の傾き、つまり対物レンズ２１の傾
きが発生する他の要因としては、装置の縦置きや横置き等、設置姿勢の変化や、レンズホ
ルダ２０に接続されるフレキシブルプリント基板（ＦＰＣ）２７の張力や、レンズホルダ
２０の重心位置のばらつきや、磁性板３０の取り付け誤差による傾きなどに起因するもの
がある。
【００１０】
本発明は、対物レンズの傾きの原因となる不安定要素を減らし、装置の設置姿勢が変化
しても対物レンズの傾きが少なく、ディスク情報を安定して読み出すことのできるディス
クドライブ装置及びそれを備えた光ディスク装置を提供することを目的とする。
【課題を解決するための手段】
【００１１】
上記目的を達成するために本発明は、シャーシに固定されたガイド軸と、該ガイド軸に
回動自在に取り付けられ、前記ガイド軸に沿って移動する光ピックアップとを備えたディ
スクドライブ装置であって、前記光ピックアップは、光ディスクに照射する光ビームを出
射する対物レンズを保持し、かつ摺動孔が開けられたレンズホルダと、前記摺動孔を挿通
するシャフトと、前記摺動孔の外壁に巻回されたフォーカスコイルと、前記摺動孔の外壁
に挿入された磁性板とを備え、前記磁性板が前記レンズホルダの摺動方向を法線とする面
に対して傾斜していることを特徴とする。
【００１２】
この構成によると、予め磁性板が傾けて取り付けられているため、磁気的に傾く方向を
固定することができる。
【００１３】
また上記のディスクドライブ装置において、前記磁性板が前記レンズホルダの摺動方向
を法線とする面に対して傾斜するように、前記磁性板の端部が折り曲げられることを特徴
とする。
【００１４】
この構成によると、簡単な構成で容易に磁性板を傾けて取り付けることができる。
【００１５】
また本発明の光ディスク装置は、シャーシに固定されたガイド軸と、該ガイド軸に回動
自在に取り付けられ、前記ガイド軸に沿って移動する光ピックアップとを有するディスク
ドライブ装置を備えた光ディスク装置であって、前記光ピックアップは、光ディスクに照
射する光ビームを出射する対物レンズを保持し、かつ摺動孔が開けられたレンズホルダと
、前記摺動孔を挿通するシャフトと、前記摺動孔の外壁に巻回されたフォーカスコイルと
、該フォーカスコイルに続いて前記摺動孔の外壁に挿入された六角形の磁性板とを備え、
前記六角形の磁性板の一辺が前記フォーカスコイル側に折り曲げられて、前記磁性板が
前記レンズホルダの摺動方向を法線とする面に対して傾斜していることを特徴とする。
【発明の効果】
【００１６】
本発明によれば、磁性板を予め傾けて取り付けているので、磁性板の傾く方向を制御で
きる。従って、磁性板の傾きによる安定方向を考慮して設計できる。これにより、光ディ
スク装置の縦置きや横置きなど設置姿勢を考慮して磁性板の傾き方向を設計できる。その
結果、対物レンズの傾きの原因となる不安定要素が減り、ディスク情報を安定して読み出
すことができる。
【発明を実施するための最良の形態】
【００１７】
図１は、ディスクドライブ装置の平面図である。ディスクドライブ装置１０は、各部品
を固定するシャーシ１１と、シャーシ１１に固定されたガイド軸（不図示）と、ガイド軸
に沿って移動する光ピックアップ１２と、光ディスク１３を搬送するトレイ１４と、トレ
イ１４を駆動するローディングモータ１５などから構成される。
【００１８】
このディスクドライブ装置１０において、光ピックアップ１２はガイド軸の回りに回動
自在であり、かつガイド軸に沿って移動自在となるようにガイド軸に係合している。
【００１９】
図２は、光ピックアップ１２の断面透過図であり、図３は、図２の分解図である。光ピ
ックアップ１２は、レンズホルダ２０と、レンズホルダ２０を支持するレンズホルダ支持
部（不図示）とを備えている。レンズホルダ２０は光ディスクに照射する光ビームを出射
する対物レンズ２１を保持している。またレンズホルダ２０には光ビーム出射方向と平行
に摺動孔２２が開けられ、レンズホルダ支持部にはシャフト２３が設けられている。そし
て、摺動孔２２にシャフト２３を貫通させた状態で、レンズホルダ２０はレンズホルダ支
持部によって支持される。
【００２０】
また、摺動孔２２の外壁２４にはフォーカスコイル２５が巻回されている。更に、フォ
ーカスコイル２５に続いて摺動孔２２の外壁２４に磁性板２６が挿入されている。図４に
、磁性板２６の一例の平面図を示す。磁性板２６は外形が六角形であり、その一辺がフォ
ーカスコイル２５側に折り曲げられて折り部２６ａが形成されている。これにより、磁性
板２６を取り付けた状態では、折り部２６ａの端部がフォーカスコイル２５に当接し、磁
性板２６がレンズホルダ２０の摺動方向を法線とする面に対して傾斜した状態となる。磁
性板２６の外形の形状には特に限定はなく多角形や円形とすることができる。また磁性板
２６には四角形の開口部２６ｂが形成されている。開口部２６ｂは摺動孔２２の外壁２４
の断面形状に合うように設計される。
【００２１】
また磁性板２６を傾斜した状態で取り付けるために、折り部２６ａに換えて突起や別部
品を用いてもよい。またフォーカスコイル２５側に突起や別部品を設けてもよい。また磁
性板２６の材料としては、ステンレス鋼やニッケル等の磁性材を用いることができる。特
にニッケルは錆びにくく、入手も容易であり、面心立方構造であるので強加工しやすい。
【００２２】
また、レンズホルダ２０にはＦＰＣ２７が接続されている。上記の調整機構では、レン
ズホルダ２０をシャフト２３の延在する方向に沿って移動させて光ビームのスポットの焦
点を合わせ、かつ、レンズホルダ２０をシャフト２３の回りに回転可能として、平面的に
トラックの位置合わせをする。すなわち、レンズホルダ２０と、レンズホルダ支持部との
間に、フォーカス用の磁気駆動部と、トラッキング用の磁気駆動部とを設け、これらフォ
ーカス用の磁気駆動部と、トラッキング用の磁気駆動部とによって上記調整機構を構成す
る。例えば、フォーカスコイル２５と同様にレンズホルダ２０側に、トラッキングコイル
が搭載され、これらコイルに対峙するレンズホルダ支持部側に、フォーカス用の永久磁石
（不図示）及びトラッキング用の永久磁石（不図示）が配置される。
【００２３】
フォーカスコイル２５に電流を流すことにより、レンズホルダ２０はシャフト２３に沿
って上下に磁気力によって駆動され、レンズホルダ２０に取り付けられた対物レンズ２１
の焦点合わせの調整を行う。同様に、トラッキングコイルに電流を流すことにより、レン
ズホルダ２０をシャフトの回りに磁気力によって回動させ、トラッキング合わせの調整を
行う。上記のようなフォーカシング調整及びトラッキング調整の各機構を備えることによ
り、外乱要因によって情報記録箇所がずれて位置する場合にも、スポット位置のトラック
からのずれに対処して、トラック位置を正確に追尾することができる。
【００２４】
ここで、レンズホルダ２０の摺動孔２２と、シャフト２３との間には、摺動可能なよう
に所定のクリアランス（例えば５μｍ）が設けられているので、従来はレンズホルダ２０
の上記調整の移動においてがたつきが生じていた。しかし、上記の磁性板２６の構成によ
れば、予め磁性板２６が傾けて取り付けられているため、磁気的に傾く方向を固定するこ
とができる。つまり、従来は磁性板を水平に取り付けようとしても取り付け誤差により様
々な方向に傾いていたが、本発明では磁性板２６を予め傾けて取り付けているので、磁性
板２６の傾く方向を制御できる。従って、磁性板２６の傾きによる安定方向（図２の矢印
方向）を考慮して設計できる。例えば、図５に示すように、磁性板２６を図２の状態から
水平に１８０°回転させれば、レンズホルダ２０の安定方向は矢印のように下方向となる
。これにより、光ディスク装置の縦置きや横置きなど設置姿勢を考慮して磁性板２６の傾
き方向を設計できる。その結果、対物レンズ２１の傾きの原因となる不安定要素が減り、
ディスク情報を安定して読み出すことができる。
【００２５】
上記ディスクドライブ装置１０は、ＣＤやＤＶＤ等の光ディスクを再生、録音、録画す
る光ディスク装置に搭載される。光ディスク装置の一例としてＤＶＤプレーヤを例にその
構成を説明する。ＤＶＤプレーヤは、ＤＶＤにデジタル記録された画像データをデータ・
ビット・ストリームとして読み出すディスクドライブ装置１０と、読み出されたデータ・
ビット・ストリームから圧縮変換前の画像データと音声データとを復元して画像と音声を
再生するデコーダと、ＤＶＤプレーヤ全体の動作を制御する制御部と、視聴制限の基準と
なる所定の周波数を格納するＥＥＰＲＯＭと、リモコンからの赤外線の明滅信号による操
作指示を入力する受光回路と、ユーザがＤＶＤプレーヤに対する操作指示をＤＶＤプレー
ヤ側にて実施可能な操作パネルとから構成されている。付属品として上記の操作指示を入
力するリモコンがある。
【００２６】
ディスクドライブ装置１０は、フォーカス用の磁気駆動部等に対して制御信号を送出す
ることにより光ピックアップ１２を所定位置に駆動させるサーボ信号処理部と、光ピック
アップ１２からの読み取り信号を増幅して所定の制御信号を生成するＲＦアンプと、増幅
された信号の中から記録されているデジタルデータを復元してデータ・ビット・ストリー
ムに変換して出力するＣＤ信号処理部とから構成されている。
【００２７】
そして、制御部による制御のもとでこれらが相互に作動し、ＤＶＤに記録されたデータ
・ビット・ストリームをデコーダに出力可能となっている。デコーダはデータ・ビット・
ストリームをビデオ成分とオーディオ成分とに分離するとともにＭＰＥＧ復調し、ビデオ
信号と音声信号とに復元しつつそれらを同期させて出力する。
【００２８】
制御部の内部には演算処理の主体となるＣＰＵとともに、所定の制御プログラムが記録
されたＲＯＭやワークエリアなどとして利用されるＲＡＭが備えられているとともに、外
部機器を制御するための制御回路が備えられている。この制御部による制御のもとで上述
したようにディスクドライブ装置１０やデコーダが画像及び音声を再生する。
【産業上の利用可能性】
【００２９】
本発明は、ＣＤやＤＶＤ等の光ディスクを再生、録音、録画する光ディスク装置及びそ
れに内蔵されたディスクドライブ装置であって、光ピックアップのレンズホルダがシャフ
トに沿って光軸方向に移動するものに利用することができる。
【図面の簡単な説明】
【００３０】
【図１】本発明のディスクドライブ装置の平面図である。
【図２】本発明の光ピックアップの断面透過図である。
【図３】図２の分解図である。
【図４】本発明の磁性板の一例の平面図である。
【図５】本発明の他の光ピックアップの断面透過図である。
【図６】従来の光ピックアップの断面透過図である。
【符号の説明】
【００３１】
１０    ディスクドライブ装置
１２    光ピックアップ
２０    レンズホルダ
２１    対物レンズ
２２    摺動孔
２３    シャフト
２４    外壁
２５    フォーカスコイル
２６    磁性板
【図１】
2007018672.tif 000003
【図２】
2007018672.tif 000004
【図３】
2007018672.tif 000005
【図４】
2007018672.tif 000006
【図５】
2007018672.tif 000007
【図６】
2007018672.tif 000008